(57)【要約】【課題】  濁度や濁色度を測定する測定器で使用され、校正板内部に測定対象の粒子に模擬した点や空間を施した校正板を利用した濁度／濁色度測定器を提供する。【解決手段】濁度／濁色度測定器は、測定対象を流すサンプル流路に光を照射するための発光部と、前記サンプル流路を透過した光を受光する透過光受光部と、前記サンプル流路を透過した光のうち散乱した光を受光する散乱光受光部と、前記サンプル流路を透過する光を遮る位置に校正板を挿入して計器の校正を行う校正手段と、を備えた濁度／濁色度測定器であって、前記校正手段で使用する校正板は、透明部材で形成され、その内部に前記測定対象に含まれている粒子を模擬した点や空間を配置したことである。【選択図】  図２
2007322206.tif 000002
【特許請求の範囲】
【請求項１】
測定対象を流すサンプル流路に光を照射するための発光部と、
前記サンプル流路を透過した透過光およびまたは散乱光を受光する受光部と、
前記サンプル流路を透過する光を遮る位置に校正板を挿入して計器の校正を行う校正手段と、
を備えた濁度／濁色度測定器であって、
前記校正手段で使用する校正板は、透明部材で形成され、その内部に前記測定対象に含まれている粒子を模擬した点や空間を配置したことを特徴とする濁度／濁色度測定器。
【請求項２】
前記校正板の内部に配置した点や空間は、レーザー光線を前記校正板を構成する透明なガラス内部に当てガラスが溶融された跡であることを特徴とする請求項１に記載の濁度／濁色度測定器。
【請求項３】
前記校正板は、ガラスの替わりに透明な樹脂部材で形成したことを特徴とする請求項２に記載の濁度／濁色度測定器。
【請求項４】
測定対象を流すサンプル流路に光を照射するための発光部と、
前記サンプル流路を透過した透過光およびまたは散乱光を受光する受光部と、
前記サンプル流路を透過する光を遮る位置に校正板を挿入して計器の校正を行う校正手段と、
を備えた濁度／濁色度測定器であって、
前記校正手段で使用する校正板は、透明部材の表面に前記測定対象に含まれている粒子を模擬した凹部を加工し、該加工した面を貼り合わせて作成されたことを特徴とする濁度／濁色度測定器。
【請求項５】
前記透明部材は、ガラス或は樹脂部材であることを特徴とする請求項４に記載の濁度／濁色度測定器。
【発明の詳細な説明】
【技術分野】
【０００１】
本発明は、濁度／濁色度測定器に関し、詳しくは濁度測定器及び濁色度測定器の計器校正用の校正板に改良を加えた濁度／濁色度測定器に関するものである。
【背景技術】
【０００２】
従来技術における濁度測定器は、図７に示すように、光源１１１より出た光を、レンズ１１２で平行光にして測定水１１３が流れているサンプル流路１１４の側面よりあてる。サンプル流路１１４内の測定水１１３を透過した透過光を透過光受光部１１５で検出（この値をＩＴ）し、サンプル流路１１４中の粒子（浮遊物質）により散乱された散乱光を散乱光受光部１１６ａ、１１６ｂにより検出する（この値をＩＳ）。光受光部１１５、１１６ａ、１１６ｂで得られた散乱光量ＩＳと透過光量ＩＴの比率演算により濁度を求める。このとき、ＩＳ／ＩＴが粒子（浮遊物質）の濃度と直線関係にあることが求められる。
【０００３】
透過光、散乱光の強さをそれぞれＩＴ、ＩＳとして、その比率：ＩＳ/ＩＴを求めると、
ＩＳ／ＩＴ＝ＩＳ（０）／ＩＴ（０）＋αＬＮ
Ｎ；濁度
α；濁質成分、検出部の形状及び特性により決まる定数
Ｌ；測定槽の光路長
ＩＴ（０）；濁度０度の場合の透過光強さ
ＩＳ（０）；濁度０度の場合の前方散乱光強さ
となり、散乱光／透過光比率（ＩＳ／ＩＴ）は、濁度（Ｎ）に比例することになる。
【０００４】
又、透過光量ＩＴから吸光度を求めて濁度や色度を求める濁色度測定器もある。
【０００５】
このような測定器のサンプル流路１１４内または左右の空間にアクリル樹脂で出来た校正板１１７ａ（、１１７ｂ、１１７ｃ）を挿入して計器を定期的に校正する。
【０００６】
校正板１１７ａ（、１１７ｂ、１１７ｃ）は、図８に示すように、当てられた光を散乱・吸収させるために、校正板材料のアクリル樹脂に拡散剤１１８などを混ぜたり着色をした構成になっている。
【０００７】
このような校正板１１７ａ（、１１７ｂ、１１７ｃ）を使用して校正するものは標準液を使用する校正に比べ標準液を製作する手間がかからないことや繰り返し使用できるのでコストがかからないというメリットがある。
【特許文献１】特開２０００−２７３５６６号公報（第２頁〜第３頁  第１図）
【発明の開示】
【発明が解決しようとする課題】
【０００８】
しかし、従来技術で説明した校正板を使用して校正を行う濁度測定器において、校正板に当てられた光を散乱・吸収させるために、校正板材料のアクリル樹脂に拡散剤などを混ぜたり着色をしている。この拡散剤などの着色成分の量を正確に制御できないため製造ロットにより材料の色や拡散剤の量にばらつきがある。そのため、校正板の厚みをロットにより変更するなどの必要がある。
又、校正に必要な光量を作り出すのにメーカの持っている材料から選ばなければならないためその選択が困難であるという問題もある。
【０００９】
更に、濁度と色度の両方を一台の測定器で測定する場合、濁度と濁色度をそれぞれ吸光度で測定する構造のものはガラス板１枚を校正板として使用できる。しかし、色度を吸光度で測定して、濁度を散乱光のみ、もしくは透過光と散乱光の比率から算出している測定器では２枚の校正板が必要になる。散乱光を校正板で模擬する場合にはアクリル樹脂に拡散剤を混ぜる必要がある。この校正板を使用した場合には濁度用の校正板として使用できるが、光の吸収が大きすぎるために色度用の校正板として使用した場合には測定範囲を越えてしまうことがある。
そのため、校正板を２枚使用するため校正時に時間がかかること、２枚分のコストがかかってしまうなどの問題がある。
【００１０】
従って、濁度や濁色度を測定する測定器で使用される校正板内部に測定対象の粒子に模擬した正確な点や空間を施すことに解決しなければならない課題を有する。
【課題を解決するための手段】
【００１１】
上記課題を解決するために、本願発明の濁度／濁色度測定器は、次に示す構成にしたことである。
【００１２】
（１）濁度／濁色度測定器は、測定対象を流すサンプル流路に光を照射するための発光部と、
前記サンプル流路を透過した透過光およびまたは散乱光を受光する受光部と、前記サンプル流路を透過する光を遮る位置に校正板を挿入して計器の校正を行う校正手段と、を備えた濁度／濁色度測定器であって、前記校正手段で使用する校正板は、透明部材で形成され、その内部に前記測定対象に含まれている粒子を模擬した点や空間を配置したことである。
（２）前記校正板の内部に配置した点や空間は、レーザー光線を前記校正板を構成する透明なガラス内部に当てガラスが溶融された跡であることを特徴とする（１）に記載の濁度／濁色度測定器。
（３）前記校正板は、ガラスの替わりに透明な樹脂部材で形成したことを特徴とする（２）に記載の濁度／濁色度測定器。
【００１３】
（４）濁度／濁色度測定器は、測定対象を流すサンプル流路に光を照射するための発光部と、前記サンプル流路を透過した透過光およびまたは散乱光を受光する受光部と、前記サンプル流路を透過する光を遮る位置に校正板を挿入して計器の校正を行う校正手段と、を備えた濁度／濁色度測定器であって、前記校正手段で使用する校正板は、透明部材の表面に前記測定対象に含まれている粒子を模擬した凹部を加工し、該加工した面を貼り合わせて作成されたことである。
（５）前記透明部材は、ガラス或は樹脂部材であることを特徴とする（４）に記載の濁度／濁色度測定器。
【発明の効果】
【００１４】
本提案によれば、透明なガラス又は透明樹脂の内部にガラスや透明樹脂を溶融した点や空間を自由に配置することで従来技術の校正板のように光を拡散させる成分や着色のロットによるばらつきに左右されずに散乱光量や光の吸収量を安定して得られる校正板が提供できるという効果がある。
又、校正板内部に加工を施しているため気泡が校正板表面に付着することを妨げ、そのぶん正確に測定できる。
【発明を実施するための最良の形態】
【００１５】
次に、本願発明に係る濁度／濁色度測定器の実施形態について、図面を参照して説明する。
【実施例１】
【００１６】
本願発明の濁度／濁色度測定器について特に濁度測定器について説明する。
濁度測定器は、図１及び図２に示すように、光源１１と、光源１１からの光線を平行光線にするレンズ１２と、透明ガラス板１３で形成され内部に測定対象の測定液１４を流すことができるサンプル流路１６と、サンプル流路１６内の測定液１４を透過した透過光１７を受光する透過光受光部１８ａ、１８ｂと、サンプル流路１６内の測定液１４に含まれる粒子１５により散乱された散乱光１９ａ、１９ｂを受光する散乱光受光部２１ａ、２１ｂと、サンプル流路１６を透過する光を遮る位置に校正板２２（図２参照）を挿入して計器の校正を行う校正手段と、から大略構成されている。
【００１７】
このような構成からなる濁度測定器において、光源１１より出た光を、レンズ１２で平行光にして測定液１４が流れているサンプル流路１６の側面よりあてる。サンプル流路１６内の測定液１４を透過した透過光１７を光学フィルタの付いた透過光受光部１８ａ、１８ｂで検出（この値をＩＴ）し、サンプル流路１６中の粒子（浮遊物質）１５により散乱された散乱光１９ａ、１９ｂを濁度測定用の光学フィルタの付いた散乱光受光部２１ａ、２１ｂにより検出する（この値をＩＳ）。
【００１８】
光受光部１８ａ、１８ｂ、２１ａ、２１ｂで得られた散乱光量ＩＳと透過光量ＩＴの比率演算により濁度を求める。このとき、ＩＳ／ＩＴが粒子（浮遊物質）１５の濃度と直線関係にあることが求められる。この点については従来技術で説明したのでその説明は省略する。
【００１９】
校正手段は、図２に示すように、測定器のサンプル流路１６を透過する光を遮る位置、実施例においてはサンプル流路１６内に校正板２２を挿入して計器を定期的に校正する。
【００２０】
校正板２２は、透明なガラス或は樹脂で形成され、内部に測定対象の粒子を模擬した点や空間を作り平面的または立体的に配置した構成になっている。
校正板２２内部に点や空間を作成する技術は、レーザ光線をガラス（クリスタル・ガラス）内部に当てガラスを溶融して溶融した跡を残すというものである。この技術を利用してガラス内部に測定対象の粒子を模擬した点や空間を作り平面的または立体的に配置した校正板を製作する。
【００２１】
図３に示す校正板２２は、レーザ光線を利用してガラス（クリスタルガラス）又は透明樹脂の内部にガラス（クリスタル・ガラス）や透明樹脂を溶融した点や空間２３を自由に配置したものである。
これは従来技術の校正板のように光を拡散させる成分や着色のロットによるばらつきに左右されずに散乱光量や光の吸収量を安定して得られる校正板を得ることができる。
又、校正板内部に加工を施しているためサンプル流路に挿入したときに気泡が校正板表面に付着することを妨げることができる。気泡の付着を防止することで気泡による光線の乱れを防止して正確に測定することが可能になる。
【００２２】
図４に示す校正板２２は、レーザ光線を利用して複数の光検出器に色度測定、濁度測定用などの機能を持たせている場合に校正板に粒子を模擬した点や空間２４を最適な位置に配置して１枚の校正板で複数の光検出器からの演算信号を校正できるようにした校正板である。
【００２３】
図５に示す校正板２２は、レーザ光線を利用して測定対象の粒子を模擬した点や空間２５を立体的に配置した校正板である。
【００２４】
図６に示す校正板２２は、透明部材であるガラスまたは透明な樹脂材料の表面に測定対象に含まれている粒子を模擬した半球状の窪み（凹部）２６を加工し、その加工した面を貼り合わせて作成された校正板である。これは貼り合わせた校正板の内部に測定対象の粒子を模擬した点または空間を作ったものである。
【００２５】
以上の如く、従来技術のように拡散剤などを混ぜたり着色をした構成の校正板では光の吸収を抑えることが難しく、散乱光を作り出す濁度測定用の校正板と、適切な光の吸収が得られる色度用の校正板が必要である。これに対して、本願発明のように、校正板内部に加工を加えたものであると、光の吸収を抑えて散乱光を作り出すことが出来る。
そのため、測定対象の粒子に均等に模擬した点または空間を配置した１枚の校正板で色度測定および濁度測定の両方の校正板として使用できる。
【００２６】
なお、上記の説明においては、校正板を使用する濁度／濁色度測定器として、透過光と散乱光を利用する形式の測定器を例示したが、濁度／濁色度測定器の形式はこれに限られるものではなく、例えば、散乱光のみを利用するものであっても良い。
【産業上の利用可能性】
【００２７】
透明なガラス又は透明樹脂の内部にガラスや透明樹脂を溶融した点や空間を自由に配置することで従来技術の校正板のように光を拡散させる成分や着色のロットによるばらつきに左右されずに散乱光量や光の吸収量を安定して得られる校正板を利用した濁度／濁色度測定器を提供する。
【図面の簡単な説明】
【００２８】
【図１】本願発明の濁度／濁色度測定器のうち濁度測定器を略示的に示した構成図である。
【図２】本願発明の濁度／濁色度測定器のうち濁度測定器に校正板を挿入した様子を略示的に示した構成図である。
【図３】同、濁度／濁色度測定器で使用される本願発明の校正板を略示的に示した説明図である。
【図４】同、濁度／濁色度測定器で使用される本願発明の校正板を略示的に示した説明図である。
【図５】同、濁度／濁色度測定器で使用される本願発明の校正板を略示的に示した説明図である。
【図６】同、濁度／濁色度測定器で使用される本願発明の校正板を略示的に示した説明図である。
【図７】従来技術における濁度測定器を略示的に示した構成図である。
【図８】従来技術における濁度測定器に使用される校正板を略示的に示した説明図である。
【符号の説明】
【００２９】
１１      光源
１２      レンズ
１３      透明ガラス板
１４      測定液
１５      粒子
１６      サンプル流路
１７      透過光
１８ａ    透過光受光部
１８ｂ    透過光受光部
１９ａ    散乱光
１９ｂ    散乱光
２１ａ    散乱光受光部
２１ｂ    散乱光受光部
２２      校正板
２３      点や空間
２４      点または空間
２５      点または空間
２６      窪み
【図１】
2007322206.tif 000003
【図２】
2007322206.tif 000004
【図３】
2007322206.tif 000005
【図４】
2007322206.tif 000006
【図５】
2007322206.tif 000007
【図６】
2007322206.tif 000008
【図７】
2007322206.tif 000009
【図８】
2007322206.tif 000010